(57)【要約】      （修正有）【課題】敷き布団や掛け布団そして枕カバー等の袋状製品を製織時点で型状織りすることができ、かつ従来品の反物を裁断、縫製する工程を省き、織りあがった時点で複層の任意形状の筒状製品や袋状製品をあたかも縫製工程を経たかのごとく形成した複層織物を提供する。【解決手段】複層織物を織り上げる際、経糸２と緯糸３によりベース地本体１を織り上げる途中で、この経糸２、緯糸３における所定の糸列を同時に上下２層に振り分け、これら振り分けた経糸２ａと緯糸３ａで上層ベース地４を、また経糸２ｂと緯糸３ｂで下層ベース地５を織り上げて行き、かつ所定の長さを織り上げたところで上層ベース地４、下層ベース地５を織っている経糸２ａ、２ｂと緯糸３ａ、３ｂのそれぞれを一つの糸列にまとめ、この一つにまとめられた糸列の経糸２と緯糸３により続けてベース地本体を織り上げてなる複層織物。【選択図】図１
2009079332.tif 000002
【特許請求の範囲】
【請求項１】
経糸と緯糸によりベース地本体を織り上げる途中で、この経糸、緯糸における所定の糸列を同時に上下複数層に振り分け、これら振り分けたそれぞれの経糸と緯糸で上層ベース地と下層ベース地の複数枚のベース地を織り上げて行き、かつ所定の長さを織り上げたところで上層ベース地、下層ベース地を織っている経糸と緯糸のそれぞれを一つの糸列にまとめ、この一つにまとめられ糸列の経糸と緯糸により続けてベース地本体を織り上げてなる複層織物。
【請求項２】
前記上層ベース地、下層ベース地における対向する２辺がベース地本体に続き、他方の対向する２辺が遊端辺部となっているベース地本体を筒状に織り上げてなる請求項１に記載の複層織物。
【請求項３】
前記上層ベース地、下層ベース地における対向する２辺と他方の１辺がベース地に続き、前記他方の１辺と対向する辺が遊端辺部となっているベース地本体を袋状に織り上げてなる請求項１に記載の複層織物。
【発明の詳細な説明】
【技術分野】
【０００１】
本発明は、敷き布団や掛け布団そして枕カバー等の袋状製品に好適な複層織物に関する。
【背景技術】
【０００２】
従来、敷き布団や掛け布団そして枕カバー等の袋状製品は、２枚重ねにした経糸と緯糸よりなる織物のベース地における上側ベース地と下側ベース地の３辺縁部を縫合用の糸で縫合して袋状に形成したものとしてある（例えば、特許文献１参照）。
【０００３】
また、上側ベース地と下側ベース地の３辺縁部を縫合して袋状に形成する場合は、縫合に掛かる手間や作業時間等の関係から、普通、縫合用の糸１本で縫合しているため、この縫合している糸が切れたりあるいは解れたりすると、この切れや解れ部分から上側ベース地と下側ベース地が離れて穴が生じ、またこの穴がどんどん大きな穴に拡がって行っていた。
【０００４】
この問題は、上述する縫合に掛かる手間や作業時間等を無視して、縫合用の糸を２本以上用いて縫合部分が２列以上になるように上側ベース地と下側ベース地の３辺縁部を縫合すれば縫合部分を強くできるが、前記縫合に掛かる手間や作業時間等が大に掛かり、さらには縫合部分の肌触りが大に低下することから、上側ベース地と下側ベース地の縫合を縫合用の糸１本で行っているのが現状である。
【０００５】
【特許文献１】特開２００５−２６１５３０号公報（第１〜５頁、図１〜６）
【発明の開示】
【発明が解決しようとする課題】
【０００６】
本発明は、敷き布団や掛け布団そして枕カバー等の袋状製品を製織時点で型状織りすることができ、かつ従来品の反物を裁断、縫製する工程を省き、織りあがった時点で複層の任意形状の筒状製品や袋状製品をあたかも縫製工程を経たかのごとく形成することができるようにした。
【課題を解決するための手段】
【０００７】
上述した課題を解決するために、本発明に係る複層織物は、経糸と緯糸によりベース地本体を織り上げる途中で、この経糸、緯糸における所定の糸列を同時に上下複数層に振り分け、これら振り分けたそれぞれの経糸と緯糸で上層ベース地と下層ベース地の複数枚のベース地を織り上げて行き、かつ所定の長さを織り上げたところで上層ベース地、下層ベース地を織っている経糸と緯糸のそれぞれを一つの糸列にまとめ、この一つにまとめられ糸列の経糸と緯糸により続けてベース地本体を織り上げるものとしてある。
【０００８】
また前記上層ベース地、下層ベース地における対向する２辺がベース地本体に続き、他方の対向する２辺が遊端辺部となっているベース地本体を筒状に織り上げるものとしてある。
【０００９】
さらに前記上層ベース地、下層ベース地における対向する２辺と他方の１辺がベース地に続き、前記他方の１辺と対向する辺が遊端辺部となっているベース地本体を袋状に織り上げるものとしてある。
【発明の効果】
【００１０】
本発明の複層織物によれば、織物のベース地が織り上がった時点で筒状あるいは袋状の形態を成す織物となっているので、従来の織り上げたベース地を縫合して筒状あるいは袋状にするための縫合作業を省略できるので、製造に掛かる手間や作業時間を大に低減できて、したがって製造コストを小にできる。
【００１１】
また、本発明の複層織物は織りによって筒状あるいは袋状の形態を成すようにしているので、従来のように、縫合部分に掛かる力を縫合糸１本で受けるものと比して、本織物製品は経糸と緯糸よりなるベース地そのもので受けるので、解れに対し非常に強く、そして縫い合わせ部分がないので肌触りも良くすることができる。
【００１２】
さらに、近年、幼稚園や保育園等で園児の母親に依頼される手作りによる手提げ袋を製作する場合も、本発明の複層織物は織物のベース地が織り上がった時点で筒状あるいは袋状の形態を成す織物となっていることから、母親が裁縫を不得意としていても大に苦労することなく子供に手提げ袋を作って上げられる。
【発明を実施するための最良の形態】
【００１３】
以下、本発明の複層織物を添付図面に基づいて説明する。
図１は本発明に係る複層織物の縦断面図を示し、符号１は経糸２と緯糸３とによる織物のベース地本体を示し、また、符号４は上層ベース地を、符号５は下層ベース地を示している。
【００１４】
そして、上層ベース地４と下層ベース地５は、ベース地本体１の織り上げ途中で、このベース地本体１を織り上げている経糸２、緯糸３における糸列を同時にかつ交互（図２参照）に上下２層に振り分けて、この振り分けた一方の経糸２ａと緯糸３ａで上層ベース地４を、また他方の経糸２ｂと緯糸３ｂで下層ベース地４を織っていて、これら上層ベース地４と下層ベース地５の間には空間８が形成されている。
【００１５】
また、上層ベース地４を織っている経糸２ａ、緯糸３ａと、下層ベース地５を織っている経糸２ｂ、緯糸３ｂは所定の長さを織ったところで一つにまとめていて、この一つにまとめた経糸２と緯糸３により続けてベース地本体１が織り上げられている。
【００１６】
実施例の本発明に係る複層織物は、ベース地本体１を織っている経２糸と緯糸３を上下２層に振り分けたものを示しているが、経２糸、緯糸３の振分を例えば上下３層以上に振り分けるようにすれば、内部空間を２つ以上設けることもできる。
【００１７】
そして、図３、図４に示す本発明に係る複層織物は、上層ベース地４、下層ベース地５における対向する２組における端辺のうち１組の端辺がベース地本体１に続け織られており、また他方の１組は端辺をベース地本体１に接続しないで遊端辺としている。
【００１８】
したがって、複層織物を図３のように織り上げることで、上層ベース地４と下層ベース地５のベース地本体１に続く部分が閉塞部（織りによる閉塞部６）となり、また遊端辺としてベース地本体１に接続していない部分が開口部７となって
複層織物は織り上げた時点で筒状になり、そして、図４のように織り上げた複層織物の表裏を返せば、筒の基本形ができている。
【００１９】
また、図４、図５に示す本発明に係る複層織物は、上層ベース地４、下層ベース地５における対向する２組の端辺のうち１組の端辺と、他方の１組における端辺のうちの１辺がベース地本体１に続け織られており、またこの他方の１組における他の１辺をベース地本体１に接続しないで遊端辺としている。
【００２０】
したがって、複層織物を図４のように織り上げることで、上層ベース地４と下層ベース地５のベース地本体１に続く部分が閉塞部（織りによる閉塞部６）となり、また遊端辺としてベース地本体１に接続していない部分が開口部７となって
複層織物は織り上げた時点で袋状になり、そして、図５のように織り上げた複層織物の表裏を返せば、袋の基本形ができている。
【００２１】
さらには図７に示すように、前述する図４の袋状に織り上げた複層織物の開口部７まわりも単層に織る（ベース地本体１として織りによる閉塞部６を形成する）ことで、図８に示すように、開口部７の両側が所定の範囲で閉じられる（閉塞している部分９）ので、敷き布団や掛け布団等を収容する開口部にファスナー等の閉塞手段を設けていない袋状製品に形成されることが多い開口部両側に設けられる敷き布団や掛け布団の飛び出しを防止するための閉塞部分（図８では閉塞している部分９）を形成できる。
【図面の簡単な説明】
【００２２】
【図１】本発明に係る複層織物の一例を示す縦断面図。
【図２】本発明に係る複層織物の実施例における一部分を示す拡大斜視図。
【図３】筒状に織り上げた本発明に係る複層織物を示す斜視図。
【図４】図３の筒状に織り上げた複層織物の表裏を返したところを示す斜視図。
【図５】袋状に織り上げた本発明に係る複層織物を示す斜視図。
【図６】図４の袋状に織り上げた複層織物の表裏を返したところを示す斜視図。
【図７】袋状に織り上げた複層織物における他の形態を示す斜視図。
【図８】図７の袋状に織り上げた複層織物の表裏を返したところを示す斜視図。
【符号の説明】
【００２３】
１  ベース地本体
２  経糸
２ａ  経糸
２ｂ  経糸
３  緯糸
３ａ  緯糸
３ｂ  緯糸
４  上層ベース地
５  下層ベース地
６  織りによる閉塞部
７  開口部
８  空間
９  閉塞している部分
【図１】
2009079332.tif 000003
【図２】
2009079332.tif 000004
【図３】
2009079332.tif 000005
【図４】
2009079332.tif 000006
【図５】
2009079332.tif 000007
【図６】
2009079332.tif 000008
【図７】
2009079332.tif 000009
【図８】
2009079332.tif 000010